(57)【特許請求の範囲】
【請求項１】
側溝の内側両側面の上部に、その側溝の外側に向って凹む凹部と、この凹部の開口縁の上部からその上方にほぼ垂直に起立する起立部とを有した見切り通し枠を互いに対向して設け、これら見切り通し枠の凹部内に蓋受け枠の両側部を脱着可能に嵌合してその蓋受け枠を側溝の上部にほぼ水平に架設し、この蓋受け枠の上に、側溝の両側の路面とほぼ面一に蓋体を載架し、この蓋体の両側部と前記見切り通し枠の起立部との間に、それぞれ蓋体の上方から側溝内にほぼ垂直に通じる雨水流通用の隙間をスペーサを介して設けてなり、
前記蓋受け枠は、側溝の幅方向に沿って延びる複数の受け桟と、側溝の長手方向に沿って延び、前記各受け桟に回動自在に結合された連結バーとで拡張・縮小が可能なリンク構造に構成され、その拡張状態において前記各受け桟の両端部が前記見切り通し枠の凹部内に嵌合することにより側溝の上部にほぼ水平に架設されることを特徴とする側溝の被蓋装置。
【請求項２】
側溝の内側両側面の上部に、その側溝の外側に向って凹む凹部と、この凹部の開口縁の上部からその上方にほぼ垂直に起立する起立部とを有した見切り通し枠を互いに対向して設け、これら見切り通し枠の凹部内に蓋受け枠の両側部を脱着可能に嵌合してその蓋受け枠を側溝の上部にほぼ水平に架設し、この蓋受け枠の上に、側溝の両側の路面とほぼ面一に蓋体を載架し、この蓋体の一側部と前記見切り通し枠の起立部との間に、蓋体の上方から側溝内にほぼ垂直に通じる雨水流通用の隙間をスペーサを介して設けてなり、
前記蓋受け枠は、側溝の幅方向に沿って延びる複数の受け桟と、側溝の長手方向に沿って延び、前記各受け桟と互いに回動自在に結合された連結バーとで拡張・縮小が可能なリンク構造に構成され、その拡張状態において前記各受け桟の両端部が前記見切り通し枠の凹部内に嵌合することにより側溝の上部にほぼ水平に架設されることを特徴とする側溝の被蓋装置。
【発明の詳細な説明】
【０００１】
【発明の属する技術分野】
この発明は、道路沿い等に施工される側溝のその長手方向沿いの開口部や側溝の途中の会所桝の部分の開口部に設ける被蓋装置に関する。
【０００２】
【従来の技術】
図８には、本出願人が提案し、既に出願公告（特公平４−６３１７５号）された従来の被蓋装置の構造を示してある。この被蓋装置は、側溝ａの上部の開口縁に、断面がＬ形をなす受枠ｂを設け、この受枠ｂの内側に蓋体ｃを脱着可能に載架し、この蓋体ｃで側溝ａの開口部を覆う構成となっている。
【０００３】
そして受枠ｂの内側面および内底面と、蓋体ｃの外側面および外底面との間にスペーサｄを介してそれぞれ所定の隙間ｈ1 ，ｈ2 を確保し、これら隙間ｈ1 ，ｈ2 でＬ形状に屈曲する通水路ｅを構成し、降雨時に路面の上に流れる雨水をこのＬ形状に屈曲する通水路ｅを通して側溝ａ内に流入させるようにしている。
【０００４】
ところで、路面の上には雨水と共に枯れ葉やゴミ屑等の異物も流れるが、近年においては、その枯れ葉やゴミ屑等の異物も雨水と共に積極的に通水路ｅを通して側溝ａ内に流入させる傾向がある。そしてその異物を側溝ａの途中の会所桝に集めて取り出すようにしている。
【０００５】
【発明が解決しようとする課題】
しかしながら、受枠ｂと蓋体ｃとの間のＬ形状に屈曲する通水路ｅを通して雨水および枯れ葉やゴミ屑等の異物を流すと、その異物が通水路ｅの途中、特に直角に屈曲する部分に引っ掛かって詰まり、排水効率を低下させてしまう。
【０００６】
また、側溝ａの両側の路面と面一に載架される蓋体ｃは、景観上の観点からその幅Ｌ1 が小さいことが好ましい。ところが、従来の被蓋装置においては、側溝ａの開口縁に断面Ｌ形の受枠ｂを設け、この受枠ｂの水平な底面部を介して蓋体ｃを支持する構造であるため、側溝ａの幅Ｌ2 よりも蓋体ｃの幅Ｌ1 を大きくしなければならず、この結果、幅寸法の大きな蓋体ｃが路面上に露出して景観を悪くしてしまう。
【０００７】
この発明はこのような点に着目してなされたもので、その目的とするところは、枯れ葉やゴミ屑等の異物が雨水と共に流れ込んでも、通水路の詰まりを防止して雨水と共にその異物を円滑かつ確実に側溝内に流入させることができ、かつ蓋体の幅を小さくして景観の向上を図ることができる側溝の被蓋装置を提供することにある。
【０００８】
【課題を解決するための手段】
この発明はこのような目的を達成するために、側溝の内側両側面の上部に、その側溝の外側に向って凹む凹部と、この凹部の開口縁の上部からその上方にほぼ垂直に起立する起立部とを有した見切り通し枠を互いに対向して設け、これら見切り通し枠の凹部内に蓋受け枠の両側部を脱着可能に嵌合してその蓋受け枠を側溝の上部にほぼ水平に架設し、この蓋受け枠の上に、側溝の両側の路面とほぼ面一に蓋体を載架し、この蓋体の両側部または一側部と前記見切り通し枠の起立部との間に、蓋体の上方から側溝内にほぼ垂直に通じる雨水流通用の隙間をスペーサを介して設けてなり、前記蓋受け枠は、側溝の幅方向に沿って延びる複数の受け桟と、側溝の長手方向に沿って延び、前記各受け桟と互いに回動自在に結合された連結バーとで拡張・縮小が可能なリンク構造に構成され、その拡張状態において前記各受け桟の両端部が前記見切り通し枠の凹部内に嵌合することにより側溝の上部にほぼ水平に架設されることを特徴としている。
【０００９】
【発明の実施の形態】
以下、この発明の実施の形態について図１ないし図７を参照して説明する。
図１にはこの発明の第１に実施形態に係る被蓋装置の全体の平面図を、図２には図１中のＡ−Ａ線に沿う断面図を、図３には図１中のＢ−Ｂ線に沿う断面図を示してある。
【００１０】
図に示す符号１は、道路沿いに施工された側溝で、この側溝１の内側の両側面の上部に、側溝１の長手方向に沿って延びる見切り通し枠２が互いに対向して設けられている。
【００１１】
この見切り通し枠２はステンレス等の金属で形成され、図２および図３に示すように、側溝１の外側に向って凹む断面コ字状の凹部３と、この凹部３からその上方にほぼ垂直に起立する起立部４とを一体に有し、アンカー５を介して側溝１に固定され、前記起立部４の上端縁が見切り縁として側溝１の上方に露出している。
【００１２】
側溝１の両側の上面には、化粧タイル等の仕上げ材６がモルタル７を介して敷き詰められ、これら仕上げ材６により前記見切り縁と同一のレベルを保つ化粧路面８が施工されている。
【００１３】
１０は蓋受け枠で、この蓋受け枠１０は図５および図６に示すように、側溝１の幅方向に沿って延びる複数の受け桟１１と、側溝１の長手方向に沿って延び、前記各受け桟１１を互いに連結した一対の連結レバー１２とでリンク構造に構成されている。
【００１４】
各受け桟１１は互いに所定の間隔をあけて並列し、これら受け桟１１の下面側に前記一対の連結レバー１２が平行に配置し、各受け桟１１と連結レバー１２とがそれぞれ枢支ピン１３を介して互いに回動自在に結合されている。
【００１５】
したがってこの蓋受け枠１０は、図５に実線で示すように、各受け桟１１と各連結レバー１２とが直角に交わる長方形の拡張状態から、図５に鎖線で示すように、各枢支ピン１３を支点にして各受け桟１１と連結レバー１２を回動して各受け桟１１を斜めに傾斜させる平行四辺形の縮小状態に変形させることができるようになっている。
【００１６】
そしてこの蓋受け枠１０は、長方形の拡張状態において、その両側部、つまり各受け桟１１の両端部が図２および図３に示すように、前記見切り通し枠２の凹部３内に脱着可能に嵌合され、この嵌合により蓋受け枠１０の全体が側溝１の上部に水平に支持されている。
【００１７】
この蓋受け枠１０の各受け桟１１は、例えば曲げ強度が高く、伸びの少ないダクタイル鋳鉄で形成され、また各連結レバー１２はステンレス等の金属、あるいはＳＳめっきを施した金属で形成されている。そして各受け桟１１の上面にはゴムクッション１４が取り付けられている。
【００１８】
また、図５に示すように、一つの受け桟１１と一つの連結レバー１２との間には、ロックピン１５が挿脱可能に挿入され、このロックピン１５により蓋受け枠１０の拡張状態が固定され、振動等で不用意に蓋受け枠１０が縮小することがないようになっている。
【００１９】
側溝１内の清掃等のために蓋受け枠１０を取り外す場合には、まずロックピン１５を抜き取り、一方の連結レバー１２と他方の連結レバー１２とを互いに逆方向に移動させる。この移動で各受け桟１１が連結レバー１２に対して斜めに傾斜し、蓋受け枠１０の全体が平行四辺形の縮小状態となり、したがってこの状態で蓋受け枠１０を側溝１内から容易に取り出すことができる。また、蓋受け枠１０を側溝１に取り付ける場合には、前記の逆順作業により容易に取り付けることができる。
【００２０】
側溝１に取り付けられた蓋受け枠１０の上には、蓋体１８が脱着可能に載架され、この蓋体１８により側溝１の上面の開口部が覆われている。この蓋体１８は、底板１９および両側板２０を有する偏平な皿形状に形成され、前記底板１９の下面が蓋受け枠１０における受け桟１１の上面のゴムクッション１４に接触して支持されている。なお、図４には蓋うけ枠１０の上から蓋体１８を取り除いた状態を示してある。
【００２１】
蓋体１８の内部には、側溝１の両側の路面８の仕上げ材６と同一の仕上げ材６がモルタル７を介して敷き詰められ、これら仕上げ材６により蓋体１の上面が路面８と面一の美麗な化粧面２１として仕上げられている。
【００２２】
蓋体１８の両側板２０の外面には、その長手方向に沿う所定間隔ごとにスペーサ２２が溶接等により取り付けられ、これらスペーサ２２により蓋体１８の両側部と前記見切り通し枠２の内面との間に２５〜３０mm程度の隙間ｈが確保され、この隙間ｈにより蓋体１８の上方から側溝１内にほぼ垂直に通じる通水路２３が構成されている。そして蓋体１８の両側のスペーサ２２に、前記隙間ｈ内に配置するように複数の桟材２４が架設されている。
【００２３】
なお、蓋受け枠１０および蓋体１８は、予め所定の長さに形成されていて、その蓋受け枠１０を側溝１の所要の区間に順次直列状に配設し、その各蓋受け枠１０の上に各蓋体１８を載架して側溝１の開口部を覆うものである。
【００２４】
このような構成の被蓋装置においては、降雨時に路面８の上に雨水が流れると、その雨水が蓋体１８の両側の隙間すなわち通水路２３を通って側溝１内に順次流入する。
【００２５】
通水路２３は、蓋体１８の上方から側溝１内に垂直に通じるストレートな通路として構成されており、したがってその雨水と共に枯れ葉やゴミ屑等の異物が流れ込んだときに、その異物が通水路２３の途中に引っ掛かるようなことがなく、このため通水路２３の詰まりを防止して常に円滑かつ確実に異物を雨水と共に側溝１内に流入させることができる。
【００２６】
また、この発明の被蓋装置においては、側溝１の内側の両側面に配置する見切り通し枠２の凹部３内に蓋受け枠１０の両側部を嵌合して蓋受け枠１０を側溝１の上部に支持し、この蓋受け枠１０の上に蓋体１８を載架するようにしたものであるから、スペーサ２２を含んだ蓋体１８の幅Ｌ1 を側溝１の幅Ｌ2 とほぼ同一の狭い幅とすることができ、このため路面全体の景観を良好に保つことができる。
【００２７】
前記第１の実施形態においては、蓋体１８の両側にそれぞれ通水路２３を設けるようにしたが、図７に第２の実施形態として示すように、蓋体１８の片側にのみ隙間ｈを確保して排水路２３を構成し、その反対側の蓋体１８の側板２０を見切り通し枠２の内面にほぼ接触するように配置させる構成とすることも可能である。
【００２８】
さらにこの発明は、前記各実施形態に限らず、例えば蓋受け枠１０の各受け桟１１をその中間に配置する１本の連結レバー１２のみで連結するような構成とすることも可能である。
【００２９】
また、この発明は、側溝の長手方向沿いの開口部を覆う被蓋装置として構成する場合に限らず、側溝の途中の会所桝の部分の開口部を覆う被蓋装置として構成する場合であってもよい。
【００３０】
【発明の効果】
以上説明したようにこの発明によれば、枯れ葉やゴミ屑等の異物が雨水と共には通水路内に流れ込んでも、その通水路が蓋体の上方から側溝内に向ってほぼ垂直に通じるストレートな通路となっているから、雨水と共に枯れ葉やゴミ屑等の異物が流れ込んだときに、その異物の詰まりを防止して常に円滑かつ確実に異物を雨水と共に側溝内に流入させることができ、また蓋体の幅を側溝の幅とほぼ同一の狭い幅に設定して路面全体の景観を向上を図ることができる。
【図面の簡単な説明】
【図１】この発明の第１の実施形態に係る被蓋装置を示す平面図。
【図２】図１中のＡ−Ａ線に沿う断面図。
【図３】図１中のＢ−Ｂ線に沿う断面図。
【図４】その被蓋装置の蓋体を取り除いた状態の断面図。
【図５】その被蓋装置の蓋受け枠の支持構造を示す平面図。
【図６】その被蓋装置の蓋受け枠の支持構造を示す斜視図。
【図７】この発明の第２の実施形態に係る被蓋装置を示す断面図。
【図８】従来の被蓋装置を示す断面図。
【符号の説明】
１…側溝
２…見切り通し枠
３…凹部
１０…蓋受け枠
１８…蓋体
２２…スペーサ
２３…通水路
【図１】
0003679192.tif 000002
【図２】
0003679192.tif 000003
【図３】
0003679192.tif 000004
【図４】
0003679192.tif 000005
【図５】
0003679192.tif 000006
【図６】
0003679192.tif 000007
【図７】
0003679192.tif 000008
【図８】
0003679192.tif 000009